(57)【要約】【課題】  構造を簡単にし製造を容易にしてコストダウンを図り、設置作業を容易にし、更には、ウニの侵入の抑制効率の向上を図る。【解決手段】  上側表面１４に海藻類が着床する着床部１１を有し海水よりも比重が大きいブロック本体１０を備え、着床部１１を露出させて着床部１１上の空間を囲繞する浮遊体２０を設け、浮遊体２０を、海水よりも比重が小さいシートにより筒状に形成し、ブロック本体１０の上側表面１４に海藻類の種苗が付着されたロープ１９を止着するための止着部１５を形成した。【選択図】  図１
2007097515.tif 000002
【特許請求の範囲】
【請求項１】
上側表面に海藻類が着床する着床部を有し海水よりも比重が大きいブロック本体を備えた海藻類生育用ブロックにおいて、
上記着床部を露出させて該着床部上の空間を囲繞する浮遊体を設けたことを特徴とする海藻類生育用ブロック。
【請求項２】
上記浮遊体を、海水よりも比重が小さいシートにより筒状に形成したことを特徴とする請求項１記載の海藻類生育用ブロック。
【請求項３】
上記ブロック本体を袋体内に形成し、上記浮遊体を、上記袋体の開口側の筒状部で構成したことを特徴とする請求項２記載の海藻類生育用ブロック。
【請求項４】
上記浮遊体を、上記ブロック本体に対して着脱可能にしたことを特徴とする請求項１または２記載の海藻類生育用ブロック。
【請求項５】
上記ブロック本体の上側表面に、海藻類の種苗が付着されたロープを止着するための止着部を形成したことを特徴とする請求項１，２，３または４記載の海藻類生育用ブロック。
【請求項６】
上側表面に海藻類が着床する着床部を有し海水よりも比重が大きいブロック本体を備え、上記着床部を露出させて該着床部上の空間を囲繞する浮遊体を設けて構成した海藻類生育用ブロックを製造する海藻類生育用ブロックの製造方法において、
海水よりも比重の軽いシートにより形成され開口側の筒状部が上記浮遊体となる袋体を用い、該袋体の内部に、該袋体の開口側の筒状部に至らないように多数の石を投入し、該石の入れられた袋体の内部に該袋体の開口側の筒状部に至らないようにモルタルを充填し、該モルタルを所定時間養生して上記多数の石同士を結着してブロック本体を形成することを特徴とする海藻類生育用ブロックの製造方法。
【発明の詳細な説明】
【技術分野】
【０００１】
本発明は、海藻類の増殖を目的として海底に沈めて表面に海藻類を着床させる海藻類生育用ブロック及びこの海藻類生育用ブロックの製造方法に係り、特に、ウニの食害を減少させて海藻類が着床できなくなる磯焼けを防止する海藻類生育用ブロック及びこの海藻類生育用ブロックの製造方法に関する。
【背景技術】
【０００２】
近年、海中に生息し海底の岩等に着床する海藻類が、海藻類を捕食するウニ等の海洋生物に食い荒らされた後、無節サンゴモにより岩の表面が石灰質で覆われて海藻類が着床できなくなる磯焼けの発生が問題になっている。
特に、岩手県三陸沿岸を例にすると、この磯焼けは、生息数の多いウニ（主にキタムラサキウニ）によって海藻類が捕食されることが原因となっている場合が多い。本願発明者等は、ウニの生態を研究したところ、ウニは、ウニの捕食口が下に付いていることから、成長した大きな海藻はほとんど捕食しないが、生育初期の岩に着床して間もない段階の海藻類を補食し易い。しかし、ウニは、高価で代表的な魚介類であり、水揚げ量も大きく、ウニをほとんど駆除することなくウニと海藻類とを共生させることが望まれる。
【０００３】
従来、海藻類の増殖を目的として海底に沈めて表面に海藻類を着床させるとともに、ウニの捕食を抑制する海藻類生育用ブロックとしては、例えば、特許文献１（特開平５−２１９８４６号公報）に記載されたものが知られている。
【０００４】
図８に示すように、海藻類生育用ブロックＢａは、略台形状に形成された土台ブロック１と、上側表面に着床部２を有した海藻着床ブロック３とを備えてなる。海藻着床ブロック３は、ボルト４を介して土台ブロック１に一体的に固着されている。
海藻着床ブロック３は、略正方形板状に形成され、その裏面側には土台ブロック１の上側を覆う大きさに形成される凹所６が設けられている。この凹所６は、土台ブロック１の上端面に当接し海藻着床ブロック３の裏面側外周縁よりも表面側に位置する裏側凹天井面７を備えている。
【０００５】
海藻類生育用ブロックＢａは、海藻着床ブロック３の裏面に、凹所６が設けられているので、海藻類生育用ブロックＢａを土台ブロック１側を海底に向けたまま海に沈めて海底に設置すると、この凹所６に空気が残存させられ、この凹所６に空気層が形成される。これにより、海藻着床ブロック３の凹所６の空気層に、土台ブロック１の外面を這い上がって来たウニが触れると、そのまま進まずに方向転換して戻るようになる。そのため、海藻の着床した海藻着床ブロック３の着床部２へのウニの侵入が防止され、ウニによる海藻類の食害が抑制される。
【０００６】
【特許文献１】特開平５−２１９８４６号公報
【発明の開示】
【発明が解決しようとする課題】
【０００７】
ところで、このような海藻類生育用ブロックＢａにあっては、土台ブロックや着床ブロック３の構造が複雑で、それだけ製造が煩雑でコストも高くなるという問題があった。また、設置の際には、凹所６の空気が逃げないように、土台ブロック１側が確実に下を向くようにして静かに沈めるようにしなければならないので、手間がかかり、設置作業が煩雑になるという問題があった。更に、海中を漂って海藻着床ブロック３の着床部２に至るウニの侵入をほとんど抑制できないことから、抑制効率に劣るという問題もあった。
【０００８】
本発明は上記の問題点に鑑みて為されたもので、構造を簡単にし製造を容易にしてコストダウンを図り、設置作業を容易にし、更には、ウニの侵入の抑制効率の向上を図った海藻類生育用ブロック及びこの海藻類生育用ブロックの製造方法を提供することを目的とする。
【課題を解決するための手段】
【０００９】
本願発明者等は、本発明をするにあたり、ウニについて研究したところ、ウニは、海中で揺れているものを好まないことを発見した。
そして、このような目的を達成するための本発明の海藻類生育用ブロックは、上側表面に海藻類が着床する着床部を有し海水よりも比重が大きいブロック本体を備えた海藻類生育用ブロックにおいて、上記着床部を露出させて該着床部上の空間を囲繞する浮遊体を設けた構成としている。
【００１０】
この海藻類生育用ブロックは、ブロック本体に浮遊体を設けるだけなので構造が簡単で製造が容易になり、コストダウンを図ることができる。
また、この海藻類育成用ブロックは、海底に沈められて設置される。この際、海底でブロック本体の上側表面が海上側を向くように海底に沈める。この際、従来に比較して、海藻類生育用ブロックは、空気は用いないので、海底に沈める際に、どのような姿勢であってもよくなり、海藻類生育用ブロックの設置を容易にすることができる。
【００１１】
海中の海藻類生育用ブロックにおいては、浮遊体は着床部を取り囲む。そして、この浮遊体は、海の潮流等により揺動するようになる。
この状態で、しばらくすると、例えば、海中に漂う海藻類の胞子等が着床部に着床していき、その後、この着床部に付着した海藻類の種苗等が生育していく。
【００１２】
そして、海藻類生育用ブロックの周囲にウニがいて、海藻類生育用ブロックの側面を昇って着床部に至ろうとすると、ウニは浮遊体に接触する。ウニは、海中に揺れ動くものを好まないので、浮遊体に接触したウニは、この接触した浮遊体を嫌って海藻類生育用ブロックから離れる。これにより、生育初期の岩に着床して間もない段階の海藻類は、浮遊体によりウニが遠ざけられるので、生育初期の海藻類が補食されにくくなる。また、例えば、潮流に流されて海中を漂ってくるウニがいても、浮遊体は、着床部の上部を囲繞しているので、漂ったウニもある程度は、この浮遊体に引っかかるようになり、これらを遮ることができる。そのため、ウニの着床部への侵入の抑制効率を向上させることができる。その後、海藻類は、生育が進んでいき、浮遊体からはみ出るが、ウニの捕食口が下に付いていることから、ウニが成長した大きな海藻はほとんど捕食しないので、ウニの補食による磯焼けを防止することができる。
【００１３】
また、必要に応じ、上記浮遊体を、海水よりも比重が小さいシートにより筒状に形成している。
これにより、浮遊体は、自然とブロック本体から立ち上がるようになる。そのため、構造が簡単になり、製造コストを低減できる。
更にまた、必要に応じ、上記ブロック本体を袋体内に形成し、上記浮遊体を、上記袋体の開口側の筒状部で構成している。
これにより、浮遊体を容易に形成できることから、海藻類生育用ブロックを製造することができ、製造コストを低減できる。
【００１４】
更に、必要に応じ、上記浮遊体を、上記ブロック本体に対して着脱可能にしている。
これにより、浮遊体が破れる等して破損したり外れたりした場合には、既存の浮遊体を取り外し、新たな浮遊体を取り付ける。これにより、仮に、浮遊体が破損しても別の浮遊体を新たに取り付けることができるので、海藻類生育用ブロックの維持修繕を容易にすることができる。
【００１５】
更にまた、必要に応じ、上記ブロック本体の上側表面に、海藻類の種苗が付着されたロープを止着するための止着部を形成した構成としている。
止着部に海藻類の種苗が付着されたロープ止着して、海底に沈めると、このロープの海藻類の種苗が着床部に着床して生育していく。これにより、自然に海藻類の胞子等を着床部に着床させる場合に比較して、即座に所望の海藻類を着床させて生育させることができる。
【００１６】
そしてまた、このような目的を達成するための本発明の海藻類生育用ブロックの製造方法は、上側表面に海藻類が着床する着床部を有し海水よりも比重が大きいブロック本体を備え、上記着床部を露出させて該着床部上の空間を囲繞する浮遊体を設けて構成した海藻類生育用ブロックを製造する海藻類生育用ブロックの製造方法において、海水よりも比重の軽いシートにより形成され開口側の筒状部が上記浮遊体となる袋体を用い、該袋体の内部に、該袋体の開口側の筒状部に至らないように多数の石を投入し、該石の入れられた袋体の内部に該袋体の開口側の筒状部に至らないようにモルタルを充填し、該モルタルを所定時間養生して上記多数の石同士を結着してブロック本体を形成する構成としている。
これにより、単に、袋体に石とモルタルとを入れるだけで、ブロック本体全体を型によらず成形でき、浮遊体も容易に形成できることから、海藻類生育用ブロックの製造コストを低減できる。
【発明の効果】
【００１７】
本発明の海藻類生育用ブロックは、ブロック本体に浮遊体を設けるだけなので構造が簡単で製造が容易になり、コストダウンを図ることができる。
また、本発明の海藻類生育用ブロックは、海底に沈める際、どのような姿勢であってもよくなり、設置作業を容易にすることができる。また、設置後は、海中の海藻類生育用ブロックにおいては、浮遊体は着床部を取り囲んで、海の潮流等により揺動するようになり、浮遊体に接触したウニは、この接触した浮遊体を嫌って海藻類生育用ブロックから離れるので、浮遊体によりウニが遠ざけられ、特に、着床部に着床した海藻類の生育初期の海藻類を補食されにくくできる。また、例えば、潮流に流されて海中を漂ってくるウニがいても、浮遊体は、着床部の上部を囲繞しているので、漂ったウニもある程度は、この浮遊体に引っかかるようになり、これらを遮ることができる。そのため、ウニの侵入の抑制効率が大幅に向上した。これにより、生育初期の海藻類がウニの食害を受けにくくなり、磯焼けを防止することができる。
【００１８】
更に、本発明の海藻類生育用ブロックの製造方法によれば、単に、袋体に石とモルタルとを入れるだけで、ブロック本体全体を型によらず成形することができ、浮遊体も容易に成形できることから、海藻類生育用ブロックの製造コストを低減できる。
【発明を実施するための最良の形態】
【００１９】
以下、添付図面に基づいて、本発明の実施の形態に係る海藻類生育用ブロックについて詳細に説明する。
【００２０】
図１及び図３に示すように、この海藻類生育用ブロックＢ１は、上側表面１４に海藻類が着床する着床部１１を有し海水よりも比重が大きいブロック本体１０を備えた構成としている。
ブロック本体１０は、石１２及びモルタル１３の混合物により、略円柱形に形成されている。また、ブロック本体１０の上側表面１４には、石１２の一部がモルタル１３から露出している。実施の形態においては、ブロック本体１０は、その大きさが、直径１ｍ〜１．１ｍ，高さ１ｍに形成されている。
【００２１】
着床部１１は、荒目にはつられたブロック本体１０の上側表面１４により構成されている。
また、図２にも示すように、ブロック本体１０の上側表面１４には、海藻類の種苗が付着されたロープ１９を止着するための止着部１５が形成されている。止着部１５は、４箇所設けられ、それぞれ少なくとも２０ｃｍ離間している。止着部１５は、ブロック本体１０に埋設されるウェルドナット１７と、ウェルドナット１７にネジ込まれるボルト１８とを備えて構成されている。ロープ１９は、予め海藻類の種苗が付着させられるとともに、例えば、直径３ｍｍ，長さ１０ｃｍに形成される。また、ロープ１９は、その一端がウェルドナット１７にボルト１８をネジ込む際にウェルドナット１７の雌ネジとボルト１８の雄ネジの間に挟まれて止着される。
【００２２】
また、ブロック本体１０は、袋体２５に入れられている。袋体２５は、海水よりも比重が小さいシートで形成されている。袋体２５の開口側の筒状部は、浮遊体２０として構成されている。浮遊体２０は、着床部１１を露出させて着床部１１上の空間を囲繞するものである。浮遊体２０の高さは、例えば、１０ｃｍ〜２０ｃｍに形成されている。
実施の形態においては、袋体２５は、白色のフレキシブルコンテナーバッグで形成されている。
【００２３】
更に、ブロック本体１０の中央には、海藻類生育用ブロックＢ１を吊り上げたり吊り下ろしたりするための吊筋１６が設けられている。吊筋１６は、ステンレス製の線状の鋼材を折曲形成してアーチ状に形成され、鋼材の両端をブロック本体１０に埋設してブロック本体１０に設けられている。
【００２４】
この海藻類生育用ブロックＢ１を製造する場合には、次のようになる。
図４に示す工程図を用いて説明すると、まず、図４（ａ）に示すように、袋体２５を用意する。次に、図４（ｂ）に示すように、この袋体２５の内部に、袋体２５の開口側の筒状部に至らないように多数の石１２を投入する。次にまた、図４（ｃ）に示すように、石１２の入れられた袋体２５の内部に、袋体２５の開口側の筒状部に至らないようにモルタル１３を充填するとともに吊筋１６となる鋼材の両端をモルタル１３の中に挿入し、モルタル１３を所定時間養生する。その後、ブロック本体１０の上側表面１４を荒目にはつって着床部１１を形成し、止着部１５のウェルドナット１７をブロック本体１０に設け、止着部１５のボルト１８の雄ネジにロープ１９の一端を巻き付けて、この状態でボルト１８の雄ネジをウェルドナット１７の雌ネジにネジ込み、ロープ１９を止着部１５に止着する（図４（ｄ））。
これにより、単に、石１２とモルタル１３を入れるだけで、ブロック本体１０全体を型によらず成形でき、浮遊体も容易に形成できることから、海藻類生育用ブロックＢ１の製造コストを低減できる。
【００２５】
この海藻類生育用ブロックＢ１を海底に設置する場合には、例えば、クレーン（図示せず）等を用い、クレーンのフックを吊筋１６に引っかけて、海藻類生育用ブロックＢ１を吊下した状態で、海底に沈めていく。
この際、海底でブロック本体１０の上側表面１４が海上側を向くように海底に沈める。
この場合、吊筋１６が設けられているので、海藻類生育用ブロックＢ１の設置が容易になる。また、従来に比較して、海藻類生育用ブロックＢ１は、空気は用いないので、海底に沈める際に、どのような姿勢であってもよくなり、設置を容易にすることができる。
海中においては、浮遊体２０は海水よりも比重が小さいことから、浮遊体２０がブロック本体１０から立ち上がるとともに、着床部１１を取り囲む。そして、この浮遊体２０は、海の潮流等により揺動するようになる。
【００２６】
この状態で、しばらくすると、図３に示すように、止着部１５に止着されたロープ１９の海藻類の種苗や、海中に漂う海藻類の胞子が着床部１１に着床していき、その後、この着床部１１に付着した海藻類の種苗等が生育していく。
この際、止着部１５が設けられ、この止着部１５に止着されたロープ１９に付着させられる海藻類の種苗を着床部１１に着床させることができるので、自然に海藻類の胞子等を着床部１１に着床させる場合に比較して、即座に所望の海藻類を着床させて生育させることができる。
【００２７】
そして、海藻類生育用ブロックＢ１の周囲にウニがいて、海藻類生育用ブロックＢ１の側面を昇って着床部１１に至ろうとすると、ウニは浮遊体２０に接触する。ウニは、海中に揺れ動くものを好まないので、浮遊体２０に接触したウニは、この接触した浮遊体２０を嫌って海藻類生育用ブロックＢ１から離れる。これにより、生育初期の岩に着床して間もない段階の海藻類は、浮遊体２０によりウニが遠ざけられるので、生育初期の海藻類を補食されにくくできる。
【００２８】
また、例えば、潮流に流されて海中を漂ってくるウニがいても、浮遊体２０は、比重が海水より小さく、ブロック体から立ち上がっており、漂ったウニもある程度は、この浮遊体２０に引っかかるので、これらを遮ることができる。
その後、海藻類は、生育が進んでいき、浮遊体２０からはみ出るが、ウニの捕食口が下に付いていることから、ウニが成長した大きな海藻はほとんど捕食しないので、ウニの補食による磯焼けを防止することができる。
また、万が一この海藻類生育用ブロックＢ１に磯焼けが生じた場合には、吊筋１６にクレーンのフックを掛止して、吊り上げ、無節サンゴモを剥がして再び沈めるようにする。
【００２９】
次に、別の実施の形態に係る海藻類生育用ブロックを説明する。
図５及び図６に示すように、この別の実施の形態に係る海藻類生育用ブロックＢ２は、上記のものと異なり、ブロック本体１０は、直方体状に形成されている。また、浮遊体２０は、海水よりも比重が小さいシートにより筒状に形成され、係止機構３０により、ブロック本体１０に対して着脱可能に形成されている。係止機構３０は、ブロック本体１０から雄ネジ部が突出する複数のアンカーボルト３１と、アンカーボルト３１が挿通される挿通孔３２を有しブロック本体１０とともに浮遊体２０を挟み付ける挾持プレート３３と、アンカーボルト３１にネジ込まれるアンカーナット３４とを備えて構成されている。
【００３０】
この海藻類生育用ブロックＢ２を製造する場合には、図７に示す工程図を用いて説明すると、予め、ブロック本体１０を石１２及びモルタル１３により型成形して形成しておき、このブロック本体１０にアンカーボルト３１を取り付ける（図７（ａ））。次に、ブロック本体１０の上側表面１４を荒目にはつって着床部１１を形成し（図７（ｂ））、ブロック本体１０の上側に吊筋１６及び止着部１５のウェルドナット１７を設ける（図７（ｃ））。
【００３１】
次にまた、浮遊体２０をブロック本体１０に被せて、浮遊体２０の下端縁にアンカーボルト３１を突き刺してアンカーボルト３１の先端を露出させ（図７（ｅ））、そして、挾持プレート３３の挿通孔３２をアンカーボルト３１に挿通し、アンカーナット３４をアンカーボルト３１にネジ込んで、挾持プレート３３及びブロック本体１０で浮遊体２０を挾持し、止着部１５に上記と同様にしてウェルドナット１７にボルト１８をネジ込んでロープ１９を止着する（図７（ｆ））。
この海藻類生育用ブロックＢ２を海底に設置する場合には、上記のものと同様にする。
【００３２】
そして、この海藻類生育用ブロックＢ２は、上記のものと同様に、海藻類が生育していく。
その後、浮遊体２０が破れる等して破損したり外れたりした場合には、吊筋１６にクレーンのフックを掛止して海藻類生育用ブロックＢ２を吊り上げ、アンカーナット３４をネジ戻し、挾持プレート３３を取り外し、既存の浮遊体２０を取り外し新たな浮遊体２０を取り付け、再び上記と同様にして挾持プレート３３及びブロック本体１０により新たな浮遊体２０を挾持する。これにより、仮に、浮遊体２０が破損しても浮遊体２０を新たに取り付けることができるので、海藻類生育用ブロックＢ２の維持修繕を容易にすることができる。
【００３３】
尚、本発明の実施の形態においては、ブロック本体１０は、石とモルタルで形成したが、これに限定されるものでなく、石の代わりに岩等を用いたり、モルタルの代わりにコンクリートや樹脂を用いたりしてよく、適宜設計変更して差支えない。
【図面の簡単な説明】
【００３４】
【図１】本発明の実施の形態に係る海藻類生育用ブロックを示す斜視図である。
【図２】本発明の実施の形態に係る海藻類生育用ブロックの止着部を示す断面図である。
【図３】本発明の実施の形態に係る海藻類生育用ブロックを、海藻類が着床した状態で示す斜視図である。
【図４】本発明の実施の形態に係る海藻類生育用ブロックの製造方法を示す図である。
【図５】本発明の別の実施の形態に係る海藻類生育用ブロックを示す斜視図である。
【図６】本発明の別の実施の形態に係る海藻類生育用ブロックを示す分解斜視図である。
【図７】本発明の別の実施の形態に係る海藻類生育用ブロックの製造方法を示す図である。
【図８】従来の海藻類生育用ブロックの一例を示す図である。
【符号の説明】
【００３５】
Ｂ１，Ｂ２  海藻類生育用ブロック
１０  ブロック本体
１１  着床部
１２  石
１３  モルタル
１４  上側表面
１５  止着部
１６  吊筋
１７  ウェルドナット
１８  ボルト
１９  ロープ
２０  浮遊体
２５  袋体
３０  係止機構
３１  アンカーボルト
３２  挿通孔
３３  挾持プレート
３４  アンカーナット
【図１】
2007097515.tif 000003
【図２】
2007097515.tif 000004
【図３】
2007097515.tif 000005
【図４】
2007097515.tif 000006
【図５】
2007097515.tif 000007
【図６】
2007097515.tif 000008
【図７】
2007097515.tif 000009
【図８】
2007097515.tif 000010